(57)【要約】【課題】  工場においてバランスおもりをかご床を支持する床支持枠に装着し、しかも容易に運搬できて据付作業を容易化するエレベーターのかご装置を得る。【解決手段】  かご装置の重心位置を、かご枠１と主索との係合位置に一致するためバランスおもり２２を床支持枠１２の適宜な位置に配置し、床支持枠１２の横材１４に装着して、かご床６下面に対し空隙を形成し、かつ横材１４よりも上方に配置する。このため、バランスおもり２２が横材１４から下方に突出しない。  したがって、バランスおもり２２を床支持枠１２に工場において予め装着しても、床支持枠１２の搬送等の作業時に障害が発生せず、据付現場作業が減少し据付費を低減する。また、重量物であるバランスおもり２２を据付現場で装着する上向き作業を解消する。【選択図】        図２
2006027877.tif 000002
【特許請求の範囲】
【請求項１】
ロ字状をなし鉛直姿勢に配置されて内部にかご室が配置されたかご枠と、枠状体からなり水平姿勢に配置されて上記かご枠の下部に設けられた床支持枠と、この床支持枠に防振体を介して支持された上記かご室のかご床と、上記床支持枠の要部を構成し上記かご床の下面に対向して配置された横材に装着され、上記かご床下面に対し空隙を形成し、かつ上記横材よりも上方に配置されたバランスおもりとを備えたエレベーターのかご装置。
【請求項２】
バランスおもりを、複数枚の鋼板を重合状態に配置して形成されたものとしたことを特徴とする請求項１記載のエレベーターのかご装置。
【請求項３】
バランスおもりを、容器及びこの容器に充塞された充塞剤によって構成されたものとしたことを特徴とする請求項１記載のエレベーターのかご装置。
【請求項４】
バランスおもりを、かご床の床板、上記かご床の下面に設けられた床梁及び上記かご床の下面に設けられた縁部梁によって形成された空間に対応した上面形状を有するものとしたことを特徴とする請求項１〜請求項３のいずれか一つに記載のエレベーターのかご装置。
【発明の詳細な説明】
【技術分野】
【０００１】
この発明は、かご枠に設けた床支持枠によって、かご室の床を防振体を介して支持したエレベーターのかご装置に関する。
【背景技術】
【０００２】
従来のエレベーターのかご装置においては、かご枠の下枠に載置固定されるかご床支持枠と、かご床支持枠の上部に複数の防振ゴムを介して支持されるかご床枠とが設けられる。そして、防振ゴムとかご床支持枠又はかご床枠とが複数のボルト、ナットによって締結される。（例えば、特許文献１参照）。
【０００３】
【特許文献１】特開２００２−３６２８５７号公報（要約、図１）
【発明の開示】
【発明が解決しようとする課題】
【０００４】
エレベーターのかご装置では、かご装置の水平面における重心位置を、かご枠に係合された主索による吊持位置と一致させるために、かご床支持枠の横材にバランスおもりが装着されて適宜な位置に配置される。しかし、従来のエレベーターのかご装置においてバランスおもりがかご床支持枠の横材に掛合されて締結され、下部がかご床支持枠よりも下方に突出して配置される。また、バランスおもりをかご床支持枠に工場において予め装着して出荷し、据付現場における作業を少なくして据付費を低減することができる。
【０００５】
しかし、バランスおもりがかご床支持枠よりも下方に突出した状態に装着されたかご床支持枠において、搬送、荷造り、エレベーターの据付現場への搬入等の運搬関連作業における障害が多く煩雑な手数が掛かるという問題点があった。なお、バランスおもりを据付現場においてかご床支持枠に装着する場合は、上向き作業によって重量物であるバランスおもりを取付ける困難な作業を要する。
【０００６】
この発明は、かかる問題点を解消するためになされたものであり、工場においてバランスおもりをかご床支持枠に装着し、しかも容易に運搬できるエレベーターのかご装置を得ることを目的とする。
【課題を解決するための手段】
【０００７】
この発明に係るエレベーターのかご装置においては、ロ字状をなし鉛直姿勢に配置されて内部にかご室が配置されたかご枠と、枠状体からなり水平姿勢に配置されてかご枠の下部に設けられた床支持枠と、この床支持枠に防振体を介して支持されたかご室のかご床と、床支持枠の要部をなしかご床の下面に対向して配置された横材に装着されかご床下面に対し空隙を形成し、かつ横材よりも上方に配置されたバランスおもりとが設けられる。
【発明の効果】
【０００８】
この発明によるエレベーターのかご装置は、かご装置の水平面における重心位置を、かご枠に係合された主索による吊持位置と一致させるために、バランスおもりが床支持枠の適宜な位置に配置される。そして、バランスおもりが床支持枠の横材に装着されて、かご床の下面に対し空隙を形成して配置され、かつ横材よりも上方に配置される。このため、バランスおもりが横材から下方に突出することがない。
【０００９】
したがって、バランスおもりを床支持枠の横材に工場において予め装着しても、床支持枠の搬送、荷造り、エレベーターの据付現場への搬入等の運搬関連作業において障害が生じることがない。このため、バランスおもりを床支持枠に工場において予め装着して出荷でき、エレベーターの据付現場における作業を少なくすることができて据付費を低減する効果がある。また、据付現場において重量物であるバランスおもりを床支持枠に装着する上向き作業を解消することができ据付作業を容易化する効果がある。
【発明を実施するための最良の形態】
【００１０】
実施の形態１．
図１〜図３は、この発明の実施の形態を示す図で、図１はエレベーターのかごの側面図、図２は図１のＡ−Ａ線断面拡大図、図３は図２のＢ−Ｂ線断面図である。図において、ロ字状をなすかご枠１が鉛直姿勢に配置される。なお、かご枠１は鋼材からなる上枠２、側枠３及び下枠４がロ字状に組立てられて形成される。また、かご室５がかご床６、壁７及び天井８によって構成されてかご枠１内に配置される。
【００１１】
なお、かご床６は、床板９、床梁１０及び縁部梁１１によって構成される。そして、枠状体からなる床支持枠１２が水平姿勢に配置されてかご枠１の下枠４の上に設けられる。また、床支持枠１２はかご床６の両側の縁部梁１１にそれぞれ対向する支持梁１３及び両側の支持梁１３を連結した溝形鋼からなる横材１４によって構成される。そして、かご枠１の側枠３の上端寄りと床支持枠１２の横材１４端部とを連結した斜め控え材１５が設けられる。
【００１２】
また、かご室５の前部の出入口を開閉するドアー装置１６が設けられ、ドアー装置１６は、桁１７、桁１７の取付腕１８、桁１７によって吊持された引き戸１９及びかご床６の縁部に設けられて引き戸１９の下端を案内する敷居２０によって構成される。そして、かご床６の縁部梁１１と床支持枠１２の支持梁１３との間に防振ゴムからなる防振体２１が設けられる。
【００１３】
そして、床支持枠１２の横材１４の上面に複数枚の鋼板が重合して配置されてなるバランスおもり２２が設けられ、かご床６の床梁１０下面に対して空隙を形成して配置される。また、バランスおもり２２及び横材１４の上辺に挿通されたボルト及びボルトの挿通端にねじ込まれたナットからなる締結具２３によってバランスおもり２２が横材１４に締結される。
【００１４】
上記のように構成されたエレベーターのかご装置において、鉛直姿勢に配置されたかご枠１内にかご室５が設けられ、またかご枠１の下部に床支持枠１２が水平姿勢に配置されて床支持枠１２の支持梁１３に、防振体２１を介してかご室５のかご床６における縁部梁１１が支持される。そして、床支持枠１２の横材１４にバランスおもり２２が配置されて締結具２３によって締結され、かご床６の床梁１０下面に対して空隙を形成し、かつ横材１４よりも上方にバランスおもり２２が配置される。
【００１５】
このような構成において、かご装置の水平面における重心位置を、かご枠１に係合された主索の吊持位置と一致させるために、適宜な質量のバランスおもり２２が床支持枠１２の適宜な位置に配置される。そして、バランスおもり２２が床支持枠１２の横材１４に装着されて、かご床６の床梁１０下面に対し空隙を形成して配置され、かつ横材１４よりも上方に配置される。このため、バランスおもり２２が横材１４から下方に突出することがない。
【００１６】
したがって、バランスおもり２２を床支持枠１２の横材１４に工場において予め装着しても、床支持枠１２の搬送、荷造り、エレベーターの据付現場への搬入等の運搬関連作業において障害が生じない。このため、バランスおもり２２を床支持枠１２に工場において予め装着して出荷することができ、エレベーターの据付現場における作業が少なくなり据付費を低減することができる。
【００１７】
また、据付現場で重量物であるバランスおもり２２を床支持枠１２に装着する上向き作業を解消することができ据付作業を容易化することができる。
さらに、バランスおもり２２が横材１４よりも上方に配置されるので、シースルーの展望用エレベーターのかご装置である場合に、エレベーターの昇降路外からバランスおもり２２が見えることがなく美観を向上することができる。
【００１８】
実施の形態２．
図４は、この発明の他の実施の形態を示す図で、前述の図２の要部相当図である。なお、図４の他は前述の図１〜図３の実施の形態と同様にエレベーターのかご装置が構成されている。図において、図１〜図３と同符号は相当部分を示し、床支持枠１２の横材１４の上面に複数枚の鋼板が重合状態に配置されてなるバランスおもり２２の上に、小形に形成された複数枚の鋼板が重合状態に配置されてなる補助バランスおもり片２４が重合状態に配置される。
【００１９】
そして、補助バランスおもり片２４はかご床６の床梁１０の相互間及び縁部梁１１と床梁１０の間にそれぞれ設けられる。また、補助バランスおもり片２４はかご床６の床梁１０又は縁部梁１１の側面に対して図４に示す空隙Ｃを形成して配置される。そして、複数の補助バランスおもり片２４、バランスおもり２２及び横材１４の上辺に挿通されたボルト及びボルトの挿通端にねじ込まれたナットからなる締結具２５によって補助バランスおもり片２４、バランスおもり２２が横材１４に締結される。
【００２０】
上記のように構成されたエレベーターのかご装置においても、床支持枠１２の横材１４にバランスおもり２２及び補助バランスおもり片２４が配置されて締結具２５によって締結され、かご床６の下面に対して空隙を形成し、かつ横材１４よりも上方にバランスおもり２２、補助バランスおもり片２４が配置される。したがって、詳細な説明を省略するが図４の実施の形態においても図１〜図３の実施の形態と同様な作用が得られる。
【００２１】
なお、図４の実施の形態において補助バランスおもり片２４を装着することによって、装着される総質量を容易に増すことができる。また、空隙Ｃの寸法を適宜に設定することによって床支持枠１２に対してかご床６に図４において水平方向に過大荷重が作用した場合に、縁部梁１１の側面に補助バランスおもり片２４が接してかご床６の水平方向変位が所定位置で阻止される。
【００２２】
このため、床支持枠１２にかご床６が防振体２１を介して装着された状態で運搬された場合等において、床支持枠１２に対するかご床６の水平方向過変位が阻止される。これにより、防振体２１が水平方向に過大変位して破損したり、防振機能に障害が発生したりする不具合を未然に防ぐことができる。
【００２３】
また、バランスおもり２２の最上面とかご床６の床梁１０下面との図４に示す空隙Ｄを適宜に設定することによって床支持枠１２に対してかご床６に図４において上下方向に過大荷重が作用した場合に、床梁１０下面にバランスおもり２２の最上面が接してかご床６の上下方向変位が所定位置で阻止される。
【００２４】
このため、床支持枠１２にかご床６が防振体２１を介して装着された状態で運搬された場合等において、床支持枠１２に対するかご床６の上下方向過変位が阻止される。これにより、防振体２１に上下方向の過大荷重が作用して破損したり、防振機能に障害が発生したりする不具合を未然に防ぐことができる。
【００２５】
実施の形態３．
図５及び図６も、この発明の他の実施の形態を示す図で、図５は前述の図２の要部相当図、図６は図５のＥ部を拡大しキャップを分離して示す斜視図である。なお、図５及び図６の他は前述の図１〜図３の実施の形態と同様にエレベーターのかご装置が構成されている。図において、図１〜図３と同符号は相当部分を示す。そして、バランスおもり２６が床支持枠１２の横材１４の上面に装着される。
【００２６】
また、バランスおもり２６は液体又は粉粒体を収容する容器２７、容器２７に設けられたねじ付き注入口２８、注入口２８を閉塞するねじ付きキャップ２９及び容器２７に充塞された水、砂、鉄粉、注入後に固化する物質等からなる充塞剤３０によって構成される。なお容器２７は、床支持枠１２の横材１４に装着されてかご床６の床梁１０下面に空隙Ｄを形成すると共に、床梁１０又は縁部梁１１の側面と床板９下面に対して空隙を形成する形状に構成される。
【００２７】
上記のように構成されたエレベーターのかご装置においても、床支持枠１２の横材１４の上面にバランスおもり２６が装着され、かご床６の下面に対して空隙を形成し、かつ横材１４よりも上方にバランスおもり２６が配置される。したがって、詳細な説明を省略するが図５及び図６の実施の形態においても図１〜図３の実施の形態と同様な作用が得られる。
【００２８】
なお、図５及び図６の実施の形態においても、バランスおもり２６の上縁部がかご床６を構成する部材の側面又は下面に対して図４の実施の形態と同様の空隙Ｃ、空隙Ｄを形成して配置される。したがって、詳細な説明を省略するが図５及び図６の実施の形態においても図４の実施の形態におけると同様な作用が得られる。
【図面の簡単な説明】
【００２９】
【図１】この発明の実施の形態１を示す図で、エレベーターのかごの側面図。
【図２】図１のＡ−Ａ線断面拡大図。
【図３】図２のＢ−Ｂ線断面図。
【図４】この発明の実施の形態２を示す図で、図２の要部相当図。
【図５】この発明の実施の形態３を示す図で、図２の要部相当図。
【図６】図５のＥ部を拡大しキャップを分離して示す斜視図。
【符号の説明】
【００３０】
１  かご枠、５  かご室、６  かご床、９  床板、１０  床梁、１１  縁部梁、１２
床支持枠、１４  横材、２１  防振体、２２  バランスおもり、２６  バランスおもり、２７  容器、３０  充塞剤。
【図１】
2006027877.tif 000003
【図２】
2006027877.tif 000004
【図３】
2006027877.tif 000005
【図４】
2006027877.tif 000006
【図５】
2006027877.tif 000007
【図６】
2006027877.tif 000008